(57)【特許請求の範囲】
【請求項１】
正のぺデスタルレベルを有するビデオ信号を出力する出力回路からビデオ信号が入力される入力端子と、
前記ビデオ信号の垂直帰線期間におけるぺデスタルレベルと所定の閾値とを比較する比較器とを備え、
前記垂直帰線期間におけるぺデスタルレベルが前記閾値よりも小さい状態が、水平同期信号の複数の周期に渡り維持されるときに前記出力回路が終端されていると判別し、前記垂直帰線期間におけるぺデスタルレベルが前記閾値よりも大きいときに前記出力回路が終端されていないと判別することを特徴とする終端検出回路。
【請求項２】
前記入力端子からのビデオ信号はローパスフィルタに入力され、前記ローパスフィルタの出力が前記比較器に入力されるビデオ信号となることを特徴とする請求項１に記載の終端検出回路。
【請求項３】
前記比較器に入力される閾値は、Ｄ／Ａコンバータの出力により与えられることを特徴とする請求項１又は請求項２に記載の終端検出回路。
【請求項４】
前記Ｄ／Ａコンバータに入力されるスライスレベルデータは変化させることができ、該スライスレベルデータを調整することにより前記比較器の出力である閾値を設定することを特徴とする請求項３に記載の終端検出回路。
【請求項５】
前記スライスレベルデータの最大値から段階的に大きさを減少させながら、前記出力回路が終端されているか否かをそれぞれ判別していき、前記出力回路が終端されていないと判別した時点のスライスレベルデータを設定値とすることを特徴とする請求項４に記載の終端検出回路。
【発明の詳細な説明】
【技術分野】
【０００１】
本発明は、送信装置等の出力回路の出力端子からビデオ信号を出力するときに、ケーブルが接続されて終端されているか否かを検出する終端検出回路に関する。
【背景技術】
【０００２】
ビデオ信号を送信する送信装置には、ＶＴＲ、デジカメ、デジタルビデオカメラ、監視カメラ等がある。これらの送信装置は、一般的に送信端が終端されているか否かを検出するための終端検出回路が設けられている。
【０００３】
特許文献１では、出力端子から出力されるビデオ信号中の変動しない２箇所のレベルをクランプして、そのレベル差を閾値レベルと比較することにより、終端の有無を判定している。
【０００４】
また、特許文献２は、出力端子から０Ｖよりも大きな電圧を出力させる出力回路と、出力端子から流れ出る電流に基づいて、出力端子が終端されているか否かを判別する判別器とを有した終端検出回路が記載されている。
【先行技術文献】
【特許文献】
【０００５】
【特許文献１】特開平１１−１３６７０７号公報
【特許文献２】特開２００８−１６６９３４号公報
【発明の概要】
【発明が解決しようとする課題】
【０００６】
しかしながら、特許文献１の構成では、ビデオ信号の２箇所の電位をクランプして比較することにより、終端の有無を検出しているため、クランプ回路が必要であり、ビデオ信号を加工する必要があった。また、異なる２つの基準電圧とクランプされた電圧とを比較するため、比較器は複数必要であり、回路構成が複雑になっていた。
【０００７】
また、特許文献２は、出力回路内の電流を検出して終端の有無を判別する判別器や、入力信号を０Ｖよりも高い電圧に保つクランプ回路等が必要になり、回路構成が複雑になるとともに、コストも高くなる。
【０００８】
本発明は、上述した課題を解決するために創案されたものであり、複雑な回路を付け加えることなく、終端検出を正確に行える終端検出回路を提供することを目的としている。
【課題を解決するための手段】
【０００９】
上記目的を達成するために、本発明の終端検出回路は、正のぺデスタルレベルを有するビデオ信号を出力する出力回路からビデオ信号が入力される入力端子と、前記ビデオ信号の垂直帰線期間におけるぺデスタルレベルと所定の閾値とを比較する比較器とを備え、前記垂直帰線期間におけるぺデスタルレベルが前記閾値よりも小さい状態が、水平同期信号の複数の周期に渡り維持されるときに前記出力回路が終端されていると判別し、前記垂直帰線期間におけるぺデスタルレベルが前記閾値よりも大きいときに前記出力回路が終端されていないと判別することを主要な特徴とする。
【発明の効果】
【００１０】
本発明によれば、正のぺデスタルレベルを有するビデオ信号を終端検出の対象としたことで、クランパが必要なくなり、ビデオ信号を加工する必要がなくなった。また、閾値と比較する信号をぺデスタルレベルの１種類としたことにより、比較器は１つで良くなった。さらに、垂直帰線期間で終端の検出動作を行わせるので、信号帯域が低く、アナログ回路を低速なものにできる。このため、低消費電力動作を行わせることができる。アナログ回路が少なく、デジタル信号処理にて検出動作をしているため、微細プロセスでの回路面積を縮小することができる。
【図面の簡単な説明】
【００１１】
【図１】本発明の終端検出回路の構成例を示す図である。
【図２】本発明の終端検出回路による終端検出時のタイムチャートを示す図である。
【図３】本発明の終端検出回路による終端検出が行われない時のタイムチャートを示す図である。
【図４】デジタル機器から出力されるビデオ信号の各部の信号レベル例を示す図である。
【図５】スライスレベルデータと閾値とペデスタルレベルの関係を示す図である。
【図６】終端検出動作のフローチャートを示す図である。
【図７】比較器の入力端子に設定される閾値を自動的に決定する動作のフローチャートを示す図である。
【発明を実施するための形態】
【００１２】
以下、図面を参照して本発明の一実施形態を説明する。以下の図面の記載において、同一または類似の部分には同一または類似の符号を付している。図面は模式的なものであり、図面相互間においても互いの寸法の関係や比率が異なる部分が含まれている場合がある。
【００１３】
本発明の終端検出回路の一構成例を図１に示す。１００が終端検出回路を示す。終端検出回路１００は、ローパスフィルタ１、Ｄ／Ａコンバータ２、比較器３、垂直帰線期間検出器４、発振器５、ＯＲ回路６、タイマー７により構成される。なお、図中のVCCINは、各部に供給されている電源電圧を示す。また、送信装置等の出力回路３０のビデオ信号出力端子はコネクタ３１に接続されている。受信装置等の受信回路４０のビデオ入力端子は、コネクタ４１に接続されている。ここで、ケーブル付のコネクタ４１をコネクタ３１に接続して出力回路３０からのビデオ信号を受信回路４０に送信する。このとき、終端抵抗Ｒにより、送信端が終端される。
【００１４】
上記のように送信端が終端されているか否か、すなわち、コネクタ３１とコネクタ４１とが接続され、出力回路３０のビデオ信号出力端子が終端抵抗Ｒと接続されているか否かを検出するのが、終端検出回路１００である。
【００１５】
終端検出回路１００のVIDEOINが出力回路３０から出力されたビデオ信号の接続端子である。また、出力回路３０から出力されたビデオ信号は、スイッチ２１に入力される。制御部２２は、終端検出を開始するときに、終端検出開始信号を終端検出回路１００に出力するとともに、制御信号を出力してスイッチ２１を閉じる。これにより、送信端が終端されているか否かの判定を開始する。
【００１６】
次に、ローパスフィルタ１は、映像信号、音声信号、カラーバースト信号等を取り除くものである。このため、ローパスフィルタ１のカットオフ周波数は、例えば１００ｋＨｚに設定される。ローパスフィルタ１を通すことにより、出力されるビデオ信号は、同期信号に基づくパルス信号のみとなる。Ｄ／Ａコンバータ２は、デジタル入力データをアナログ出力データに変換するもので、Ｄ／Ａコンバータ２の出力は、比較器３の一方の入力端子に閾値として入力される。
【００１７】
また、Ｄ／Ａコンバータ２の入力は制御部２２と接続されており、制御部２２から閾値の元となるスライスレベルデータ（デジタルデータ）が供給される。スライスレベルデータは、制御部２２で変化させられるようになっており、これに基づきＤ／Ａコンバータ２の出力である閾値も変化する。
【００１８】
比較器３は、Ｄ／Ａコンバータ２の出力である閾値とローパスフィルタ１からの出力  C-Sync（コンポジット同期信号）とを比較し、閾値の方が大きい場合は、ローレベル信号を出力する。一方、閾値とC-Syncを比較して閾値の方が小さいときは、ハイレベル信号を出力する。
【００１９】
次に、比較器３の出力をベースにして、垂直帰線期間検出器４で、垂直帰線期間を検出する。垂直帰線期間が検出された場合は、垂直帰線期間検出器４の出力V-BlankDetはハイレベルからローレベルとなる。垂直帰線期間が検出されなかった場合は、垂直帰線期間検出器４の出力V-BlankDetはハイレベル信号のままとなる。
【００２０】
終端検出動作が行われる場合は、ローレベルの終端検出開始信号が制御部２２から終端検出回路１００に供給される。この終端検出開始信号と垂直帰線期間検出器４の出力V-BlankDet信号がＯＲ回路６に入力される。V-BlankDet信号がハイレベルからローレベルに切り替わった場合は、ＯＲ回路６の出力は、ローレベル信号となり、これがタイマー７のリセット端子に供給される。
【００２１】
ＯＲ回路６の出力が、ハイレベルからローレベルへ立ち下がると、タイマー７がリセットされる。V-Blank信号が、ハイレベル信号の間は、タイマー７はリセットされずに、タイマー７が動作する。タイマー７は、リセットがされない場合は、発振器５からのパルスを計数してカウントダウンし、待ち時間が０となった時点でリセットされる。発振器５は、例えば、１００ｋＨｚの周波数のパルスを発振する。
【００２２】
図２と図３を用いて、終端検出について説明する。図２は、ケーブルが接続されており、終端抵抗Ｒ（例えば、７５Ω）が接続された状態を示す。入力されるビデオ信号は、ぺデスタルレベル（ブランキングレベル）が、所定の正のＤＣ電圧値を有するものが対象となる。最近のデジタル電子機器は、ほとんどが、ビデオ信号がＤＣバイアス（正のバイアス値）されている。例えば、デジタルカメラの分野では、ビデオ信号のＤＣバイアスは、ほぼ１００％行われている。このように、ＤＣバイアスされていることにより、ペデスタルレベルは正の値となり、シンクチップレベルが０Ｖのときに、ペデスタルレベルは約０．３Ｖになる。
【００２３】
図２に示されるようなコンポジットビデオ信号が、VIDEOINから入力される。終端抵抗Ｒにより終端されているので、ペデスタルレベルは、図のようになっており、シンクチップレベル（０Ｖ〜０．４Ｖ）も図のようになっている。一方、比較器３に与えられている閾値は、図の点線レベルになるように設定されている。
【００２４】
図に示された１Ｈ〜２０Ｈの各期間は、水平同期信号の周期又は水平走査線の周期を示し、例えば、１Ｈは水平同期信号の第１周期を、５Ｈは水平同期信号の第５周期を示す。垂直同期パルス（V-Sync）は、水平同期信号の周期の３周期分と決まっている。図のように、通常は第４周期から第６周期（４Ｈ〜６Ｈ）が垂直同期パルスになる。また、第１周期から第２０周期（１Ｈ〜２０Ｈ）までは、垂直帰線期間（垂直ブランキング時間：V-Blanking Time）といい、映像が表示されない期間である。また、垂直同期パルスには、いわゆる切込みパルスが挿入されている。さらに、垂直同期パルスの前後３Ｈ分の期間に、いわゆる等化パルスが挿入されている。終端抵抗が接続されている場合は、シンクチップレベルからカラー映像信号の最大値までは、１Ｖの高さとなっている。
【００２５】
上記の各信号で、シンクチップレベルが０Ｖの場合に、実際に用いられている一例を挙げると、図４に示すようになる。終端抵抗（７５Ω）により終端されている場合、カラー映像信号の最大値が１．２２１Ｖ、最小値が０．１２１Ｖ、カラーバースト信号の最大値が０．４２９Ｖ、最小値が０．１４３Ｖ、ペデスタルレベルが０．２８６Ｖ、白レベルが１．０００Ｖ、黒レベルが０．３３３９Ｖとなっている。終端抵抗が接続されずに、開放されている場合も、例示されている。
【００２６】
また、ＩＲＥの次の列には、ペデスタルレベルを基準（０Ｖ）とした場合の各項目の電圧値が示されている。ＩＲＥとは、映像信号の電圧レベルを相対的に表す単位で、ペデスタルレベルを基準に、映像信号の最大値（１００％白レベル）を１００ＩＲＥ、同期パルスの最小値（同期パルスの底）を−４０ＩＲＥとするものである。したがって、最大振幅は、１４０ＩＲＥとなる。
【００２７】
ここで、図２に示すように、比較器３に与えられている閾値より、ぺデスタルレベルが小さいので、比較器３の出力COMPOUTはローレベルとなる。垂直帰線期間におけるぺデスタルレベルが閾値よりも小さい状態が一定時間以上続く場合は、COMPOUTがローレベル信号の期間が一定時間以上続くことになる。この場合、垂直帰線期間検出器４が垂直帰線期間を検出し、V-BlankDet信号がハイレベルからローレベルに切り替わる。図２の例では、COMPOUT信号の５１０μｓのローレベル期間を検出した後、V-BlankDet信号はローレベルに変化している。５１０μｓのローレベル期間は、図に示されているように、水平同期信号の７周期分以上に相当する。以上のようにして、終端されていることが検出される。
【００２８】
一方、図３は、接続ケーブルが抜けたりして、終端抵抗が接続されずに、開放端となった場合が示されている。信号の種類は、図２と同じである。しかし、図２と異なり、VIDEOINから入力されたビデオ信号は、シンクチップレベルからカラー映像信号の最大値までは２Ｖの高さとなって、図２よりも信号が大きくなっている。また、シンクチップレベル自身も上昇している。その変動幅は０〜０．８Ｖとなっている。
【００２９】
ここで、Ｄ／Ａコンバータ２から出力される閾値とペデスタルレベルとを比較すると、垂直帰線期間におけるコンポジットビデオ信号のパルスがハイレベルのときは閾値よりも大きくなり、コンポジットビデオ信号のパルスがローレベルのときは閾値よりも小さくなる。したがって、比較器３の出力は、ハイレベル信号とローレベル信号が、C-Syncのパルスのハイレベル−ローレベルの繰り返しの周期と同じパルス信号がCOMPOUT信号として出力される。このように、COMPOUT信号は、一定の期間ローレベルを維持しない信号であるため、垂直帰線期間検出器４は、垂直帰線期間を検出せず、ハイレベル信号が維持されたままになる。
【００３０】
また、ビデオ信号のペデスタルレベルが閾値よりも大きく、かつビデオ信号のシンクチップレベルが閾値よりも大きい場合についても、比較器３の出力はハイレベル状態が継続することになり、一定の期間ローレベル出力を維持するものではないので、垂直帰線期間検出器４は、垂直帰線期間を検出せず、ハイレベル信号が維持されたままになる。
【００３１】
以上により、ビデオ信号のペデスタルレベルが閾値よりも大きい場合は、終端されていないことが検出される。
【００３２】
図５は、垂直帰線期間を検出するために、必要な閾値の設定に関するデータを示す。閾値は、Ｄ／Ａコンバータ２から出力されるが、あらかじめ、ビデオ信号のペデスタルレベルがわかっている場合は、制御部２２から閾値の元になるスライスレベルデータを出力し、Ｄ／Ａコンバータ２でアナログの閾値データに変換する。
【００３３】
図５には、このときの対応データの一例が示されている。図５の左欄のＤ／Ａコンバータ入力データは、スライスレベルデータに対応する。閾値の欄は、Ｄ／Ａコンバータ２の出力電圧に対応する。ペデスタルレベル（電圧値）は、７５Ωの抵抗で終端された場合と、終端抵抗で終端されずに開放となった場合が示されている。終端時のペデスタルレベルの電圧値は、０．３０Ｖとなるように設計されることが規格により定められている。この場合は、図５から閾値を０．３５Ｖとするのが適切であるので、Ｄ／Ａコンバータ入力データは、００１となるように制御部２２により設定される。
【００３４】
また、終端時のペデスタルレベルの電圧値が、０．３０Ｖでなくとも、問題はない。終端時のペデスタルレベルが仕様書等から、あらかじめわかっている場合は、図５の表から、適切なＤ／Ａコンバータ入力データを選択して、制御部２２から設定するようにすれば良い。
【００３５】
次に、図６のフローチャートに基づき、図１の終端検出回路の動作を説明する。まず、スイッチ２１を閉じて（Ｓ１）、出力回路３０から出力されるビデオ信号がコネクタ３１まで到達するようにする。制御部２２から、Ｄ／Ａコンバータ２の入力にデジタルのスライスレベルデータを設定する（Ｓ２）。終端検出開始のオン信号を制御部２２から終端検出回路１００に与える（Ｓ３）。終端検出開始のオン信号は、ローレベル信号であり、発振器５はリセットされる。また、ＯＲ回路６の一方の入力端子にローレベル信号が入力されるので、他方の入力端子の入力信号であるV-BlankDetがそのままのロジックレベルで出力される状態になる。
【００３６】
一方、Ｄ／Ａコンバータ２は、スライスレベルデータをＤ／Ａ変換してアナログの閾値を出力し、この閾値は比較器３の一方の入力端子に入力される。
【００３７】
他方、ローパスフィルタ１により映像信号、音声信号、カラーバースト信号等が除去されて、同期信号に関するパルス信号のみによるビデオ信号が、比較器３の他方の入力端子に入力される。
【００３８】
比較器３で、同期信号に関するパルス信号のみによるビデオ信号と閾値とが比較される。閾値よりもビデオ信号のペデスタルレベルが小さいときは、比較器３の出力COMPOUTは、ローレベルとなる。COMPOUTは垂直帰線期間検出器４に入力されるが、垂直帰線期間検出器４は、通常ハイレベルの信号を出力している。垂直帰線期間検出器４で発振器５からのクロックを計数し、COMPOUT信号が一定の期間ローレベルを維持した場合に、垂直帰線期間検出器４はローレベル信号を出力する。すなわち、終端抵抗が接続されている場合は、図２に示されるように、垂直帰線期間検出器４からは一定の期間ハイレベルを維持した後、ローレベルに切り替わったV-BlankDet信号が出力される。上述したように、終端検出開始のオン信号により、ＯＲ回路６のゲートが開いている状態であるので、V-BlankDet信号はそのままＯＲ回路６から出力される。
【００３９】
ＯＲ回路６の出力がハイレベルの期間は、タイマー７はリセットされずに、カウントダウンを行い、一定の時間が経過して、残り時間（待ち時間）が０になるとハイレベルの信号を出力する。この一定の時間は、例えば、３５ｍｓに設定される。これは、およそ、２フレーム弱の期間の長さに相当する。
【００４０】
ここで、終端抵抗が接続されている場合は、図２に示したように、V-BlankDet信号は一定の期間ハイレベルを維持した後、ローレベルに切り替わるので、ＯＲ回路６の出力は、ハイレベルからローレベルになり、タイマー７がリセットされる。このリセット信号は、タイマー７の待ち時間内に入力される。リセット信号により、タイマー７にあらかじめ設定された待ち時間が再度最初からセットされるため、タイマー７の出力はローレベル信号が継続して出力される。すなわち、終端検出開始のオン信号の時点からタイマー７にあらかじめ設定された待ち時間を超える期間が経過するまで、タイマー７からローレベル信号が継続して出力され、この信号が終端抵抗に接続されていることを示す終端検出信号として制御部２２に送信される。
【００４１】
他方、終端抵抗が接続されていない場合は、図３に示したように、ビデオ信号のペデスタルレベルが閾値よりも大きいため、COMPOUT信号はパルス信号となり、ハイレベルの期間が周期的に出現するので、一定の期間ローレベルを維持することができない。このため、垂直帰線期間検出器４の出力V-BlankDetがハイレベルのままであり、ローレベルに切り替わらない。これにより、ＯＲ回路６の出力は、ハイレベルの状態が継続されるので、タイマー７はリセットされない。すなわち、タイマー７はカウントダウンを行い、待ち時間が０になった時点で、タイマー７はハイレベル信号を出力し、これが、終端抵抗に接続されていないことを示す終端非検出信号として制御部２２に送信される。
【００４２】
制御部２２では、終端検出信号又は終端非検出信号により、終端されていないことが検出されたか否かを判定する。終端検出信号又は終端非検出信号が制御部２２に送信されると、制御部２２は、ローレベル信号の期間中、ハイレベル信号が出現しているか否かのチェックを、ハイレベル信号を検出するまで所定の間隔で繰り返す（Ｓ５NO）。
【００４３】
タイマー７の待ち時間経過後にハイレベル信号が出現している場合は、終端されていないことが検出された（終端非検出信号）と判断する（Ｓ５YES）。これにより、終端検出動作を終了する（Ｓ６）。そして、ケーブルがコネクタから抜けていないかどうかをチェックするために、例えばユーザに警告を発するような処理を行う。
【００４４】
一方、ローレベル信号の期間を計数し、タイマー７の待ち時間を超えた期間、ローレベルが維持されている場合は、制御部２２は終端されていると判定し（Ｓ６TIME OUT）、他の回路に終端検出信号を送信し、次の動作が行えるようにする。また、この時点で、終端検出動作を終了するようにしても良い。
【００４５】
次に、終端されているときのペデスタルレベルが、あらかじめわからない場合に、比較器３の入力信号である閾値を自動的に設定するキャリブレーションについて、図７のフローチャートに基づいて説明する。自動設定キャリブレーションは、スイッチ２１を開放して（Ｓ５１）、終端されていない状態で行われる。
【００４６】
次に、制御部２２から最大スライスレベルデータがＤ／Ａコンバータ２に対して設定される（Ｓ５１）。このデータの設定に関しては、例えば、図５に示すデータを用いれば良い。図５によると、Ｄ／Ａコンバータ２に送信される最大スライスレベルデータは、１１１であり、このときの閾値は０．８５Ｖとなる。
【００４７】
次に、終端検出開始のオン信号を制御部２２から終端検出回路１００に与える（Ｓ５３）。これにより、終端検出動作が開始される。ここで、終端検出動作において、比較器３、垂直帰線期間検出器４、ＯＲ回路６、タイマー７等の詳しい動作は、図６のフローチャートの説明と同じであるので省略する。
【００４８】
要点は、最大スライスレベルデータによる最大閾値よりも、ビデオ信号のペデスタルレベルが小さい場合は、終端されていることを示す終端検出信号が出力され、最大閾値よりも、ビデオ信号のペデスタルレベルが大きい場合は、終端されていないことを示す終端非検出信号が出力されることである。
【００４９】
終端検出信号又は終端非検出信号が制御部２２に供給されると、制御部２２は、ローレベル信号の期間中、ハイレベル信号が出現しているか否かのチェックを、ハイレベル信号を検出するまで所定の間隔で繰り返す（Ｓ５４NO）。タイマー７の待ち時間経過後にハイレベル信号が出現している場合は、終端されていないことが検出された（終端非検出信号）と判断する（Ｓ５４YES）。
【００５０】
ここで、スイッチ２１をオフにして終端されていない状態でキャリブレーションを行っており、終端されていないことを示す内容の場合は、閾値とペデスタルレベルの関係が最適となるので、現在のスライスレベルデータを設定した状態で、キャリブレーションを終了する（Ｓ６３）。これにより、終端検出動作を終了する。
【００５１】
一方、ローレベル信号の期間を計数し、タイマー７の待ち時間を超えた期間、ローレベルが維持されている場合は、制御部２２は、終端されていると判定する（Ｓ５４TIME OUT）。この場合、閾値とペデスタルレベルの関係が適切でないので、スライスレベルを減少させる（Ｓ５６）。例えば、図５の場合であれば、最大スライスレベルデータから１段階減少させたスライスレベルデータとして、１１０が制御部２２から出力される。これに対応するＤ／Ａコンバータ２の出力（閾値）は、０．７５Ｖとなる。
【００５２】
Ｓ５７では、減少させたスライスレベルデータが最小スライスレベルデータか否か判定する。最初は、Ｓ５１で最大スライスレベルデータが設定されており、最小スライスレベルデータではない（Ｓ５７ NO）ため、終端検出ルーチンに戻る（Ｓ５４）。
【００５３】
Ｓ５４では、比較器３、垂直帰線期間検出器４、ＯＲ回路６、タイマー７等が用いられて、最大スライスレベルデータから１段階減少させたスライスレベルデータによる閾値よりも、ビデオ信号のペデスタルレベルが小さい場合は、終端されていることを示す終端検出信号が出力され、前記閾値よりも、ビデオ信号のペデスタルレベルが大きい場合は、終端されていないことを示す終端非検出信号が出力される。
【００５４】
制御部２２が、終端されていないことが検出された（終端非検出信号）と判断する（Ｓ５４YES）と、閾値とペデスタルレベルの関係が最適となるので、スライスレベルデータを現行のデータに設定した状態で、キャリブレーションを終了する（Ｓ６３）。これにより、終端検出動作を終了する。
【００５５】
一方、制御部２２が終端されていると判定した場合は（Ｓ５４TIME OUT）、閾値とペデスタルレベルの関係が適切でないので、スライスレベルを減少させる（Ｓ５６）。例えば、図５の場合であれば、最大スライスレベルデータから２段階減少させたスライスレベルデータとして、１０１が制御部２２から出力される。これに対応するＤ／Ａコンバータ２の出力（閾値）は、０．６５Ｖとなる。
【００５６】
Ｓ５７では、減少させたスライスレベルデータが最小スライスレベルデータか否か判定する。最大スライスレベルデータから２段階減少させたスライスレベルデータであり、最小スライスレベルデータではない（Ｓ５７ NO）ため、終端検出ルーチンに戻る（Ｓ５４）。
【００５７】
このように、スライスレベルデータを最大値から段階的に減少させていき、減少させた新しいスライスレベルデータによる閾値とビデオ信号のペデスタルレベルとを比較する処理を繰り返す。
【００５８】
そして、タイマー７から出力される信号を制御部２２で判定し、終端非検出信号により終端されていないことを検出したと判断した場合は、このキャリブレーションを終了し、そのときのスライスレベルデータをＤ／Ａコンバータ２の入力に設定し、比較器３に設定される閾値とする。
【００５９】
なお、スライスレベルデータを最大値から段階的に減少させて、最小スライスレベルまで到達したときには、Ｓ５７YESに示すように、エラー表示などを行って、キャリブレーション処理を終了する。図５の例では、最小スライスレベルとして０００が示されており、これに対応するＤ／Ａコンバータ２の出力（閾値）は、０．３０Ｖとなる。また、スライスレベルデータの例を図５に示しているが、これに限定されるものではなく、スライスレベルデータの減少幅又は増加幅を替えて用いても良い。
【００６０】
以上説明したように、正のぺデスタルレベルを有するビデオ信号を終端検出の対象としたことで、ビデオ信号を加工して比較器に入力する必要がなくなった。また、閾値と比較する信号をぺデスタルレベルの１種類としたことにより、回路構成が簡単なものとなっている。
【００６１】
さらに、ローパスフィルタで、映像信号、音声信号、カラーバースト信号を取り除いて、垂直帰線期間で終端の検出動作を行わせている。このため、比較器で比較対象となるビデオ信号は、信号の周波数帯域が低くなっており、アナログ回路を低速なものにすることができる。
【符号の説明】
【００６２】
１          ローパスフィルタ
２          Ｄ／Ａコンバータ
３          比較器
４          垂直帰線期間検出器
５          発振器
６          ＯＲ回路
７          タイマー
２１        スイッチ
２２        制御部
３０        出力回路
３１        コネクタ
４０        受信回路
４１        コネクタ
【図１】
0005898436.tif 000002
【図２】
0005898436.tif 000003
【図３】
0005898436.tif 000004
【図４】
0005898436.tif 000005
【図５】
0005898436.tif 000006
【図６】
0005898436.tif 000007
【図７】
0005898436.tif 000008